(57)【特許請求の範囲】
【請求項１】
壁面（Ｗ）から垂下される垂下位置と、この垂下位置から上方に回動して水平位置とを選択的に取り得るように、壁面（Ｗ）に対して回動可能に取り付けられる第１板体（１０）と、
この第１板体（１０）が水平位置にあるとき、該第１板体（１０）の前部（１２）と床面（Ｆ）との間に配置されて第１板体（１０）を水平位置に支持する支持位置と、前記第１板体（１０）が垂下位置にあるとき、第１板体（１０）の側方（ＷＳ）において前記壁面（Ｗ）と平行に該壁面（Ｗ）に着脱可能に取り付けられる壁面位置とを選択的に取り得る第２板体（２０）と、
前記第１板体（１０）が水平位置にあるとき、該第１板体（１０）と床面（Ｆ）との間、かつ、前記第２板体（２０）と壁面（Ｗ）との間に配置されて第１板体（１０）を水平位置に支持する支持位置と、前記第１板体（１０）が垂下位置にあるとき、第１板体（１０）の側方（ＷＳ）において前記壁面（Ｗ）と平行に該壁面（Ｗ）に着脱可能に取り付けられる壁面位置とを選択的に取り得る第３板体（３０）と、
を備えたことを特徴とする台構造。
【請求項２】
請求項１において、
前記第１板体（１０）以外の板体は、前記壁面（Ｗ）に対し、該壁面（Ｗ）と板体の背面との間に設けられた磁石（４１，４２）で着脱可能に取り付けられることを特徴とする台構造。
【請求項３】
請求項１または２において、
前記全ての板体は同一厚さであることを特徴とする台構造。
【発明の詳細な説明】
【技術分野】
【０００１】
本発明は、台構造に関するものである。主として、建築物の室内に設けられる、簡易収納可能な台構造に関するものである。
【背景技術】
【０００２】
従来、例えば特許文献１に見られるように、
「 壁面内に収納できる折り畳み式座椅子であって、
１．壁面に設けられた開口部内面の上面及び左右側面が枠材（Ｆ）で被覆され、
２．該開口部内部には棚板（Ｅ）が設けられ、
３．棚板（Ｅ）には、蝶番（Ｋ）を軸に前傾回転し、棚板（Ｅ）上部の開口部を封鎖する座板（Ａ）が取り付けられ、
４．左右の枠材（Ｆ）には、棚板（Ｅ）の下部の開口部を封鎖する一対の両開きの扉（Ｄ）が最大開き角度が９０度である蝶番を介して取り付けられていることを特徴とする折り畳み式座椅子」（同文献請求項１）
が知られている。
この折り畳み式座椅子によれば、
「使用しないときに、壁内に収納できるので、狭い玄関にも設置できる。」（同文献００２２段落）
という効果が得られる。
【０００３】
しかし、このものは、壁面内に収納できる折り畳み式座椅子であって、壁面に、収納部となる開口部を設ける必要があるので、設置工事が大がかりになる。
【０００４】
また、従来、例えば特許文献２に見られるように、
「壁際等に沿ってコンパクトに収納できるとともに、使用状態でも壁際等からの突出量を必要最小限にする」ことを課題とし（同文献要約欄）、
直立姿勢に配設された基体１と、Ｘ状に交差し交差部で互いに回動自在に結合された一対の脚部材２１，２２を有し、脚体２Ａの脚部材２１は下端が基体１の下端に回動自在に結合されるとともに脚部材２２の上端は基体１に設けられたガイド溝１２１，１３１に係合して上下方向へ移動可能とされ、座板３は、脚部材２１の上端に水平姿勢における前端縁３１が回動自在に結合されるとともに、水平姿勢における後端縁３２が基体１に設けられたガイド溝１２１，１３１に係合して上下方向へ移動可能とされているもの（同文献要約欄）
が知られている。
【０００５】
しかし、このものは、専用の基体１が必要であるので、部品点数が増大するという難点がある。
【先行技術文献】
【特許文献】
【０００６】
【特許文献１】特開平１１−１６４７５０号公報
【特許文献２】特開２００３−０２４１７８号公報
【発明の概要】
【発明が解決しようとする課題】
【０００７】
本発明が解決しようとする課題は、壁面に、収納部となる開口部を設ける必要がなく、専用の基台も必要としない台構造を提供することである。
【課題を解決するための手段】
【００１４】
上記課題を解決するために本発明の台構造は、
壁面から垂下される垂下位置と、この垂下位置から上方に回動して水平位置とを選択的に取り得るように、壁面に対して回動可能に取り付けられる第１板体と、
この第１板体が水平位置にあるとき、該第１板体の前部と床面との間に配置されて第１板体を水平位置に支持する支持位置と、前記第１板体が垂下位置にあるとき、第１板体の側方において前記壁面と平行に該壁面に着脱可能に取り付けられる壁面位置とを選択的に取り得る第２板体と、
前記第１板体が水平位置にあるとき、該第１板体と床面との間、かつ、前記第２板体と壁面との間に配置されて第１板体を水平位置に支持する支持位置と、前記第１板体が垂下位置にあるとき、第１板体の側方において前記壁面と平行に該壁面に着脱可能に取り付けられる壁面位置とを選択的に取り得る第３板体と、
を備えたことを特徴とする。
この台構造は、上記の構成となっているので、例えば次のようにして使用することができる。
【００１５】
＜台として使用する時＞
第１板体を垂下位置から上方に回動させて水平位置とし、第２板体を、第１板体の前部と床面との間に配置して第１板体を水平位置に支持する支持位置とする。
また、第３板体を第１板体と床面との間、かつ、第２板体と壁面との間に配置して第１板体を水平位置に支持する支持位置とする。
これによって、第１板体を台として使用することができる。
そして、第３板体が、第１板体の前部と床面との間、かつ、第２板体と壁面との間に配置されて第１板体を水平位置に支持するので、第１板体を第２板体と第３板体とで強固に支持することが可能となる。
【００１６】
＜台としては使用しない時＞
第２板体と第３板体とを第１板体と床面との間から外し、第１板体を水平位置から下方に回動させて壁面から垂下される垂下位置とし、第２板体と第３板体とを、垂下位置にある第１板体の側方において壁面と平行に該壁面に取り付けて壁面位置とする。
これによって、この台構造は台としては使用されない、いわば簡易収納状態となる。
【００１７】
以上のように、この発明の台構造によれば、簡易収納時、第１板体は壁面から垂下され、第２板体と第３板体は第１板体の側方において壁面に取り付けられるから、壁面に、収納部となる開口部を設ける必要もないし、専用の基台も必要としない、という効果が得られる。
【００１８】
しかも、簡易収納状態にあっては、第１板体は壁面から垂下される垂下位置となり、第２板体および第３板体は第１板体の側方において壁面と平行に該壁面に取り付けて壁面位置となるから、壁面からの突出量を小さくできるとともに、外観も損なわれないようにすることが可能となる。
【００１９】
この台構造においては、
前記第１板体以外の板体（第２板体および／または第３板体）は、前記壁面に対し、該壁面と板体の背面との間に設けられた磁石で着脱可能に取り付けられる構成とすることができる。
このように構成すると、第１板体以外の板体（第２板体および／または第３板体）を壁面に対して容易に着脱可能に取り付けることができると同時に、第１板体以外の板体（第２板体および／または第３板体）の壁面からの突出量を極力小さくすることができる。
【００２０】
この台構造においては、
前記全ての板体は同一厚さとすることができる。
このように構成すると、簡易収納状態のとき、全ての板体の表面を面一状態とすることができるので、簡易収納状態のときの外観性を高めることができる。
【図面の簡単な説明】
【００２２】
【図１】本発明に係る台構造の実施の形態を示す図で、（ａ）は台としての使用状態を示す側面図、（ｂ）は概略斜視図、（ｃ）は蝶番の斜視図。
【図２】簡易収納状態を示す図で、（ａ）は正面図、（ｂ）は図（ａ）におけるｂ−ｂ断面図、（ｃ）は図（ａ）におけるｃ−ｃ断面図。
【発明を実施するための形態】
【００２３】
以下、本発明に係る台構造の実施の形態について図面を参照して説明する。なお、各図において、同一部分ないし相当する部分には、同一の符号を付してある。
【００２４】
図１、図２に示すように、この実施の形態の台構造１は、第１板体１０と、第２板体２０と、第３板体３０とを備えている。
【００２５】
第１板体１０は、図２に示すように壁面Ｗから垂下される垂下位置と、この垂下位置から図１に示すように上方に回動した水平位置とを選択的に取り得るように、壁面Ｗに対して、基部１３が例えば後述する蝶番６０（図１（ｃ））で回動可能に取り付けられている。
【００２６】
第２板体２０は、図１に示すように第１板体１０が水平位置にあるとき、第１板体１０の前部１２と床面Ｆとの間に配置されて第１板体１０を水平位置に支持する支持位置と、図２に示すように第１板体１０が垂下位置にあるとき、第１板体１０の側方ＷＳにおいて壁面Ｗと平行に該壁面Ｗに着脱可能に取り付けられる壁面位置とを選択的に取り得る。
【００２７】
第３板体３０は、図１に示すように、第１板体１０が水平位置にあるとき、第１板体１０と床面Ｆとの間、かつ、第２板体２０と壁面Ｗとの間に配置されて第１板体１０を水平位置に支持する支持位置と、図２に示すように、第１板体１０が垂下位置にあるとき、第１板体１０の側方ＷＳにおいて壁面Ｗと平行に壁面Ｗに着脱可能に取り付けられる壁面位置とを選択的に取り得る。
【００２８】
この台構造は、上記の構成となっているので、例えば次のようにして使用することができる。
【００２９】
＜台として使用する時＞
図１に示すように、第１板体１０を垂下位置（図２）から上方に回動させて水平位置とし、第２板体２０を、第１板体１０の前部１２と床面Ｆとの間に配置して第１板体１０を水平位置に支持する支持位置とする。
【００３０】
また、第３板体３０を第１板体１０と床面Ｆとの間、かつ、第２板体２０と壁面Ｗとの間に配置して第１板体１０を水平位置に支持する支持位置とする。なお、実際に組み立てる際には、先に第３板体３０を第１板体１０の下に入れた方が組み立てやすい。
【００３１】
これによって、第１板体１０を台として使用することができる。
そして、第３板体３０が、第１板体１０の前部１２と床面Ｆとの間、かつ、第２板体２０と壁面Ｗとの間に配置されて第１板体１０を水平位置に支持するので、第１板体１０を第２板体２０と第３板体３０とで強固に支持することが可能となる。
【００３２】
＜台としては使用しない時＞
図１に示す状態から第２板体２０と第３板体３０とを、第１板体１０と床面Ｆとの間から外し、第１板体１０を水平位置から下方に回動させて、図２（ａ）（ｂ）に示すように、壁面Ｗから垂下される垂下位置とし、取り外した第２板体２０と第３板体３０とを、図２（ａ）（ｃ）に示すように、垂下位置にある第１板体１０の側方ＷＳにおいて壁面Ｗと平行に壁面Ｗに取り付けて壁面位置とする。
これによって、この台構造は台としては使用されない、いわば簡易収納状態となる。
【００３３】
以上のように、この実施の形態の台構造によれば、図２に示すように、簡易収納時、第１板体１０は壁面Ｗから垂下され、第２板体２０と第３板体３０は第１板体１０の側方ＷＳにおいて壁面Ｗに取り付けられるから、壁面Ｗに、収納部となる開口部を設ける必要もないし、専用の基台も必要としない。
【００３４】
しかも、図２に示すように、簡易収納状態にあっては、第１板体１０は壁面Ｗから垂下される垂下位置となり、第２板体２０および第３板体３０は第１板体１０の側方ＷＳにおいて壁面Ｗと平行に壁面Ｗに取り付けられて壁面位置となるから、壁面Ｗからの突出量Ｌ１を小さくできるとともに、外観も損なわれないようにすることが可能となる。
【００３５】
この実施の形態において第１板体１０以外の板体である第２板体２０および第３板体３０は、図２（ｃ）で示すように、壁面Ｗに対し、壁面Ｗと板体２０（３０）の背面２２（３２）との間に設けられた磁石４１，４２で着脱可能に取り付けられる構成となっている。
【００３６】
このように構成すると、第２板体２０および第３板体３０を壁面Ｗに対して容易に着脱可能に取り付けることができると同時に、第１板体１０以外の板体（第２板体２０および第３板体３０）の壁面Ｗからの突出量Ｌ１を極力小さくすることができる。
【００３７】
全ての板体１０，２０，３０は同一厚さＴとすることが望ましい。
このように構成すると、簡易収納状態のとき、全ての板体の表面１１，２１，３１を面一状態とすることができるので、簡易収納状態のときの外観性を高めることができる。
【００３８】
図２に示すように、第１板体１０が垂下位置にあり、第１板体１０以外の板体２０，３０が壁面位置にあるとき、第１板体１０とそれ以外の板体２０，３０の高さが異なる場合には、全ての板体１０，２０，３０の上辺１４，２４，３４を同一高さにそろえ、長さ（高さ）の短い板体（この場合２０，３０）の下部には、短い分の高さを有する板体又は角柱体（図示のものは角柱体）５０を配置する。
【００３９】
このように構成すると、全ての板体１０，２０，３０の下辺を同一高さにそろえる場合、あるいは短い分の高さを有する板体又は角柱体を設けない場合に比べて、簡易収納状態の外観性を高めることができる。この台構造１は、床面Ｆ上に配置されるため、上辺側の方が外観上目立ちやすいからである。
【００４０】
第１板体１０、第２板体２０、第３板体３０は、いずれも適宜の公知の材料、例えば、木材、合成樹脂、金属等で構成することができる。
【００４１】
第１板体１０の基部１３を壁面Ｗに対して回動可能に取り付ける構造は、公知の適宜の構造を採用できる。例えば図１（ｃ）に示すような蝶番６０で回動可能に取り付けることができる。
【００４２】
第２板体２０による第１板体１０の支持位置を規定し、支持状態を安定させるために、第１板体１０の下面には線状凹溝１５（図１（ａ）、図２（ｂ））を設けるとともに、第２板体２０の上辺には、線状凹部１５に嵌まり合う線状凸部２５（図１（ａ）、図２（ｃ））を設ける。
【００４３】
同様に、第３板体３０による第１板体１０の支持位置を規定し、支持状態を安定させるために、第１板体１０の下面には線状凹溝１６（図１（ａ）、図２（ｂ））を設けるとともに、第３板体３０の上辺には、線状凹部１６に嵌まり合う線状凸部３６（図１（ａ）、図２（ｃ））を設ける。
【００４４】
この台構造は、図１（ａ）（ｂ）に示すように、台として使用する時、例えば、次のような用途に使用できる。
（１）来客や、ホームパーティー時のイスとして
（２）アパート、マンション等のＴＶ台として
（３）机として
（４）季節的な飾り物（例えば節句の兜、お雛様等）を飾る台として
【００４５】
この台構造は、例えば、上記の用途に応じて、各板体１０．２０，３０の寸法を適宜設定できる。
また、いずれの場合も、不使用時には、簡易収納状態とすることにより、部屋を広く使用することができる。この場合、上述したように、部屋の外観は損なわれ難い。
【００４６】
以上、本発明の実施の形態について説明したが、本発明は上記の実施の形態に限定されるものではなく、本発明の要旨の範囲内において適宜変形実施可能である。
例えば、
【００４７】
第２板体２０、第３板体３０は、必ずしも両方設ける必要は無く、一方だけ設けてもよい。
その場合、第２板体２０または第３板体３０の一方の板体が、請求項１に記載の第２板体を構成する。
【００４８】
上記の実施の形態では、第２板体２０、第３板体３０は、それぞれ左右一対設けたが、それぞれ３枚以上とすることもできるし、１枚とすることもできる。
【００４９】
磁石４１，４２のうち一方は、磁石以外の磁性体（例えば鉄板）で構成しても良い。
【００５０】
図２（ｃ）に示した壁面側の磁石４１は、壁面Ｗに埋め込んであるが、必ずしも埋め込む必要は無く、例えば、図２（ｄ）に示すように、壁面Ｗに露出させても良い。
【００５１】
図２において、２は下地、３はベニヤ、４はＰＢ（プラスターボード）であるが、この発明の台構造は、公知のほとんどの壁（壁面）に適用することができる。
【符号の説明】
【００５２】
Ｗ：    壁面
ＷＳ：    第１板体１０の側方
１：    台構造
１０：    第１板体
２０：    第２板体
３０：    第３板体
１２：    前部
４１，４２：  磁石
【要約】
【課題】壁面に、収納部となる開口部を設ける必要がなく、専用の基台も必要としない台構造を提供する。
【解決手段】壁面Ｗから垂下される垂下位置と、この垂下位置から上方に回動して水平位置とを選択的に取り得るように、壁面Ｗに対して回動可能に取り付けられる第１板体１０と、第１板体１０が水平位置にあるとき、第１板体１０と床面Ｆとの間に配置されて第１板体１０を水平位置に支持する支持位置と、第１板体１０が垂下位置にあるとき、第１板体１０の側方ＷＳにおいて壁面Ｗと平行に該壁面Ｗに着脱可能に取り付けられる壁面位置とを選択的に取り得る第２板体２０とを備えている。
【選択図】図２【図１】
0006854956.tif 000002
【図２】
0006854956.tif 000003